(57)【特許請求の範囲】
【請求項１】
基材に付着しているアスベスト含有材をその基材から除去するアスベスト含有材の除去方法であって、
所定の剥離液を含む高圧液体をガンを用いて前記基材に達するまで噴出させてそのアスベスト含有材内に切り込みを生成し、かつ、そのガンを前記アスベスト含有材の表面上を縦横に移動させて、その生成される切り込みにより前記アスベスト含有材に所定大きさのブロックを形成し、生成された前記切り込みから前記剥離液を前記基材と前記アスベスト含有材との接触面に浸透させ、
生成された前記切り込みに所定の工具を挿入して前記ブロックを基材から切り離すことを特徴とするアスベスト含有材の除去方法。
【請求項２】
前記剥離液は、有機酸が使用されることを特徴とする請求項１に記載のアスベスト含有材の除去方法。
【請求項３】
前記ブロックは、一辺の長さが５０〜２００ｍｍであることを特徴とする請求項１又は２に記載のアスベスト含有材の除去方法。
【請求項４】
前記ガンから噴出される高圧液体の注入圧は、前記アスベスト含有材に対する貫入抵抗の２〜１０倍であることを特徴とする請求項１乃至３のいずれか１項に記載のアスベスト含有材の除去方法。
【請求項５】
前記ガンから噴出される高圧液体は、前記アスベスト含有材の表面に対する鉛直線を基準にして５〜５０度の角度で噴出されることを特徴とする請求項１乃至４のいずれか１項に記載のアスベスト含有材の除去方法。
【発明の詳細な説明】
【技術分野】
【０００１】
本発明はアスベスト含有材の除去方法に係り、特に、基材に付着しているアスベスト含有材を効果的に除去できるようにしたものに関する。
【背景技術】
【０００２】
従来、吹付けアスベスト材やアスベスト含有吹付けロックウール等のアスベスト含有材の除去方法としては、バールやケレン棒等の剥離工具によって基材からアスベスト含有材を粗落しする作業後、ブラシ等の研磨工具を用いてセメント成分を主体とする残留付着物を削ぎ取る作業により行われている。
【０００３】
上述のケレン棒等の剥離工具を用いるアスベスト含有材の除去は、その除去作業の際、入念な飛散防止手段を講ずる必要があるだけでなく、剥離作業及び研磨作業を必要としているので作業員の負担が大きくなるという問題点を有している。このような問題点を解決するために、特許文献１では、基材とアスベスト含有材との間に酸性液からなる剥離液を注入するアスベスト含有材の除去方法が提案されている。
【０００４】
上記提案に係るアスベスト含有材の除去方法は、手持ち可能な酸性液の注入具を用いて、アスベスト含有材と基材との接着面付近に酸性液を注入するようにしたことを特徴としている。このように、注入具を用いて基材とアスベスト含有材との接着面に酸性液を注入することで、基材と接合しているアスベスト含有材の接触面が酸により分解・溶解される。これによりアスベスト含有材は基材から容易に剥離するので、アスベスト含有材を効果的に除去することができるという特徴を有している。
【先行技術文献】
【特許文献】
【０００５】
【特許文献１】特開２０１０−１８５１８２号公報
【発明の概要】
【発明が解決しようとする課題】
【０００６】
しかしながら、上記特許文献１で提案されているアスベスト含有材の除去方法は、アスベスト含有材の表面からそのアスベスト含有材と基材との間に酸性液からなる剥離液を注入具を用いて注入する以外に、基材からアスベスト含有材を効率よく剥離させるためには、アスベスト含有材を所定の大きさのブロックとなるように、電動鋸等の切削工具を用いて切り込みを入れる必要があった。このため、上記特許文献１で提案されているアスベスト含有材の除去方法の特徴を活かしつつ、さらに効果的なアスベスト含有材の除去方法が求められており、その点で改善の余地があった。
【０００７】
そこで、本発明は、上記要望に応えるためになされたものであって、その目的は、剥離液の注入とブロック形成とを同時に行えるアスベスト含有材の除去方法を提供することにある。
【課題を解決するための手段】
【０００８】
本発明に係るアスベスト含有材の除去方法は、上記目的を達成するために、基材に付着しているアスベスト含有材をその基材から除去するアスベスト含有材の除去方法であって、  所定の剥離液を含む高圧液体をガンを用いて基材に達するまで噴出させてそのアスベスト含有材内に切り込みを生成し、かつ、そのガンをアスベスト含有材の表面上を縦横に移動させて、その生成される切り込みによりアスベスト含有材に所定大きさのブロックを形成し、生成された切り込みから剥離液を基材とアスベスト含有材との間の接触面に浸透させ、生成された切り込みに所定の工具を挿入してブロックを基材から切り離すことを特徴としている。
【０００９】
上記構成からなるアスベスト含有材の除去方法は、アスベスト含有材上を縦横に移動されるガンから、すなわち、格子状に移動されるガンから剥離液を含む高圧液体が噴出されるので、アスベスト含有材が所定大きさのブロックに形成される。このように、アスベスト含有材への剥離液の注入とアスベスト含有材に対するブロック形成とを同時に行えるので、短時間で、かつ、効率よくアスベスト含有材の除去を行うことができる。
この場合、形成されたブロックは基材とアスベスト含有材との間の接触面に剥離液が浸透しているので、生成された切り込みに工具を挿入することで、それらブロックを適宜なタイミングで基材から切り離して除去することが可能である。
【００１０】
本発明に係るアスベスト含有材の除去方法は、剥離液は、有機酸が使用されることが好ましい。
【００１２】
本発明に係るアスベスト含有材の除去方法では、ブロックは、一辺の長さが５０〜２００ｍｍであることが好ましい。
【００１３】
上記構成からなるアスベスト含有材の除去方法によれば、切り込みによってブロックは一辺の長さが５０〜２００ｍｍに形成されるので、その後のブロックの剥離を容易にすることができる。
【００１４】
本発明に係るアスベスト含有材の除去方法では、ガンから噴出される高圧液体の注入圧は、アスベスト含有材に対する貫入抵抗の２〜１０倍であることが好ましい。
【００１５】
この場合、ガンから噴出される高圧液体の注入圧はアスベスト含有材に対する貫入抵抗の２〜１０倍とすることができるので、効果的に高圧液体をアスベスト含有材に注入することができる。
【００１６】
本発明に係るアスベスト含有材の除去方法では、ガンから噴出される高圧液体は、前記アスベスト含有材の表面に対する鉛直線を基準にして５〜５０度の角度で噴出されることが好ましい。
【００１７】
上記構成からなるアスベスト含有材の除去方法によれば、ガンから噴出される高圧液体はアスベスト含有材の表面に対する鉛直線を基準にして５〜５０度の角度で噴出されるので、噴出する高圧液体の跳ね返りや液だれが生じるのを抑えることができ、効率よくアスベスト含有材に切り込みを生成することができる。
【発明の効果】
【００１８】
本発明のアスベスト含有材の除去方法によれば、アスベスト含有材への剥離液の注入とアスベスト含有材のブロック形成とを同時に行えるので、短時間で、かつ、効率よくアスベスト含有材の除去を行うことができる。
【図面の簡単な説明】
【００１９】
【図１】本発明の実施の形態によるアスベスト含有材の除去方法の実施状態の概略構成を示す断面図である。
【図２】本発明の実施の形態によるアスベスト含有材の除去方法の工程を示す説明図である。
【図３】実験結果を示す表である。
【発明を実施するための形態】
【００２０】
以下、本発明に係るアスベスト含有材の除去方法の実施の形態について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００２１】
図１に示すように、本発明の実施の形態では、鉄材等からなる基材１の表面には、吹付けアスベスト材やアスベスト含有吹付けロックウール等のアスベスト含有材２が付着されている。
【００２２】
ガン３は、所定の剥離液を含む高圧液体Ｗがアスベスト含有材２の表面に向けて噴出されるように構成されている。この高圧液体Ｗの噴出作業は、作業員がガン３を手にしてアスベスト含有材２の表面上を格子状に移動して行われる（図１の矢印参照）。このガン３を格子状に移動させることについては、後に、図２を用いて詳述する。
【００２３】
剥離液は、例えば酒石酸のような有機酸を使用することができるが、基材１とアスベスト含有材２との接触面Ｔにおける付着状態によって適宜選択される。したがって、例えば、基材１とアスベスト含有材２との付着が接着剤や塗料が関係しているときは、これらを溶解することのできる有機溶剤等の所定の剥離液が使用される。また、剥離液は、原液そのまま、あるいは所定の溶液で希釈して高圧液体Ｗとされる。
【００２４】
剥離液を含む高圧液体Ｗの圧力（注入圧）は、ガン３から噴出された高圧液体Ｗが基材１の面に達するように決定されている。この圧力は、アスベスト含有材２への貫入抵抗の２〜１０倍の範囲であればよく、使用される高圧液体Ｗの使用量を減らす観点から３倍程度で十分であることが実験的に確認されている。したがって、例えば、アスベスト含有材２への貫入抵抗が７ＭＰａの場合は、剥離液を含む高圧液体Ｗの圧力は２０ＭＰａ程度とされる。
【００２５】
ガン３から噴出される高圧液体Ｗの直径は、ガン３のノズル径によって決められるが、そのノズル径はφ０．４〜０．６ｍｍの範囲であると、ガン３から噴出された高圧液体Ｗが基材１の面に切断力を維持しながら達することが実験的に確認されている。
【００２６】
ガン３から噴出される高圧液体Ｗのアスベスト含有材２の表面に対する噴出角度θは、アスベスト含有材２の表面に対する鉛直線Ｏを基準にして５〜５０度の角度とされることが実験的に確認されている。この噴出角度θが０度の場合は、高圧液体Ｗの跳ね返り、いわゆる液だれが大きくなって高圧液体Ｗの有効利用が減少し、５０度を超えると高圧液体Ｗが基材１の面に達しにくくなるおそれがある。なお、図１では省略されているが、ガン３の先端側には、高圧液体Ｗの跳ね返り液が作業員にかからないようにカバーが設けられている。
【００２７】
ガン３には、図示しないポンプを介して剥離液を含む高圧液体Ｗが供給されるように構成されている。そして、そのガン３が図１の矢印に示されるように、アスベスト含有材２の表面に沿って移動されると、ガン３から噴出された高圧液体Ｗが基材１の接触面Ｔに達し、その達した後には、後述する図２に示されるアスベスト含有材２をブロック状に区分する切り込み４が形成される。また、基材１の面に達した高圧液体Ｗは、基材１の面とアスベスト含有材２の面との間の接触面Ｔに浸透し、基材１との接触面Ｔに対するアスベスト含有材２の付着力が弱められる。
【００２８】
以下、図２（ａ）〜（ｆ）を用いて、本実施の形態によるアスベスト含有材の除去方法の工程について説明する。
【００２９】
図２（ａ）は、アスベスト含有材の除去方法を実施する前の状態を示している。そして、図２（ｂ）は、ガン３を用いてアスベスト含有材２に縦方向に所定の間隔を保って切り込み４が生成され、生成された切り込み４から剥離液を接触面Ｔ（図１）に浸透させる。図２（ｃ）は、縦方向の切り込み４の生成が完了した状態を示している。
【００３０】
図２（ｄ）は、縦方向の切り込み４の生成が完了した後、ガン３を用いてアスベスト含有材２に横方向に所定の間隔を保って切り込み４が生成され、生成された切り込み４から剥離液を接触面Ｔ（図１）に浸透させる。図２（ｅ）は、横方向の切り込み４の生成が完了した状態を示している。
【００３１】
上述の縦方向の切り込み４及び横方向の切り込み４により、アスベスト含有材２は所定の大きさのブロックＢに区分される。図示の例では正方形のブロックＢに区分される。１つのブロックＢの大きさは、一辺の長さが５０〜２００ｍｍであると、その後の剥離作業が容易に行われることが実験的に確認されている。なお、図示の例では、ブロック形状は正方形であるが、これを長方形や菱形の他の形状にしてもよい。一辺の長さが５０〜２００ｍｍであれば、いずれの形状でもよい。
【００３２】
図２（ｆ）は、ブロックＢに区分されたアスベスト含有材２を工具５を用いて基材１から剥がしている状態を示している。工具５としては、周知のケレン棒のように、先端部が先細りになっていて、その先端部を切り込み４に挿入できる形状を呈しているものが採用できる。なお、基材１の面に達した高圧液体Ｗが、基材１の面とアスベスト含有材２の面との間の接触面Ｔに浸透して基材１の面からアスベスト含有材２が離れやすくなっているので、特に、アスベスト含有材２が天井に設けられている場合などでは、ブロックＢを自然に落下させるようにしてもよい。
【００３３】
上記構成からなるアスベスト含有材の除去方法では、基材１とアスベスト含有材２との間への剥離液（Ｗ）の注入と、アスベスト含有材２のブロック形成とを同時に行えるので、アスベスト含有材２の除去を短時間で、かつ、効率よく行うことができる。
【００３４】
次に、図３に示す表を用いて実験例について説明する。この実験においては、本発明によるアスベスト含有材の除去方法の他に、４つの比較例が示されている。
【００３５】
実験に供した資料は、表中のイメージ図に示す通り全て同様であり、また、概要中の「従来工法」は、上述した背景技術の項で説明した剥離工具を用いる方法と同じ方法であり、「酸注入」は、注射器を用いて酒石酸からなる有機酸の剥離液を基材とアスベスト含有材との間に注入することを示し、そして、「水筋」は、剥離液を含まない高圧水で切り込みを形成してアスベスト含有材の表面をブロック状に区分することを示している。
【００３６】
表中の「開発者主観」は本発明の発明者を含む開発者の感想であり、また、「職人主観」は実際の現場で除去作業を行う作業員の感想であって、最も優れているものから順に「◎」、「○」、「△」、「×」を付している。これらの者の感想から明らかなように、本発明に係るアスベスト含有材の除去方法が作業時間、粉じんの飛散状態等から最も優れていることが分かる。
【００３７】
以上、本発明による接合構造の実施の形態について説明したが、本発明は上記の実施の形態に限定されるものではなく、その趣旨を逸脱しない範囲で適宜変更可能である。
例えば、本実施の形態の接合構造では工具５を用いて積極的にブロックＢを剥がしても良いし、自然に落下させても良いとしているが、本発明では切り込みを生成したときにはブロックが剥がれ易くなっているので、適宜なタイミングで工具を用いてブロックを基材から切り離して除去することができる。
【００３８】
その他、本発明の趣旨を逸脱しない範囲で、上記した実施の形態における構成要素を周知の構成要素に置き換えることは適宜可能である。
【符号の説明】
【００３９】
１  基材
２  アスベスト含有材
３  ガン
４  切り込み
５  工具
Ｂ  ブロック
Ｏ  鉛直線
Ｔ  接触面
Ｗ  高圧液体（剥離液）
【図１】
0005794535.tif 000002
【図２】
0005794535.tif 000003
【図３】
0005794535.tif 000004